【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
ネットワーク化された環境内のデジタルコンテンツの同時のブラウザ内のタグ付けおよびハーベスティングのための方法であって、
強化型ブラウザ環境のブラウザウィンドウにおいてレンダリングされるウェブページ内の要素の独立した別個の選択およびタグ付けを容易にするために、コンピューティングリソース上で前記強化型ブラウザ環境を実行するステップであって、前記強化型ブラウザ環境がポータルとインターフェースする、ステップと、
前記ポータルを介して、前記ウェブページ内の予想される要素に関するポリシーを定義するステップと、
前記強化型ブラウザ環境を介して前記ウェブページ内の特定の要素の選択を受信するステップと、
前記ポリシーに基づいて、タグを前記特定の要素に割り当てるステップと、
前記ポータルによって前記タグを前記要素および前記ウェブページのユニバーサルリソースロケータ(URL)に関連付けるステップと、
前記関連付けに応答して、前記ウェブページ内の前記タグ付けされた要素のブラウザ内のハーベスティングを実施するステップと、
前記特定の要素に割り当てられた前記タグに基づいて、新しいポリシーを定義するステップと、
前記新しいポリシーを含むようにハーベスティングエンジンのハーベスティングアルゴリズムを精緻化するステップであって、前記ハーベスティングエンジンが、前記新しいポリシーによって精緻化された前記ハーベスティングアルゴリズムを使用して、ハーベスティングのためにネットワーク化された環境内のコンテンツを発見する、ステップと
を含む方法。
【請求項２】
前記強化型ブラウザ環境を介してグラフィカルユーザインターフェースを生成するステップと、
前記ポータルからウェブページのリストを受信するステップと、
前記グラフィカルユーザインターフェースを介して前記リスト内の前記URLの選択を受信するステップと、
前記リストからの前記URLの選択に応答して、前記URLをホストするデータソースから前記URLに関連付けられた前記ウェブページを取り出すように前記強化型ブラウザ環境に命令するステップと
をさらに含む、請求項1に記載の方法。
【請求項３】
前記タグが、前記ウェブページ内の前記特定の要素が良性であるか悪性であるかを示す、請求項2に記載の方法。
【請求項４】
前記特定の要素の選択に応答して、前記強化型ブラウザ環境によってメニューを生成するステップであって、前記メニューが、前記特定の要素の選択に基づいて前記強化型ブラウザ環境によって実施されることが可能な少なくとも1つのオプションまたはアクションを含む、ステップ
をさらに含む、請求項1に記載の方法。
【請求項５】
前記強化型ブラウザ環境が、前記少なくとも1つのオプションまたはアクションの選択に応答して、前記タグを前記特定の要素に割り当てる、請求項4に記載の方法。
【請求項６】
前記少なくとも1つのオプションまたはアクションが、コンテキスト属性を前記特定の要素に関連付けることを含み、前記方法が、
前記特定の要素に割り当てられた前記タグを支持してまたはそれに反対して、前記強化型ブラウザ環境を介して前記ウェブページ内の1つまたは複数の文字列の選択を受信するステップ
をさらに含む、請求項4に記載の方法。
【請求項７】
前記1つまたは複数の文字列の選択が、
前記強化型ブラウザ環境を介して前記ウェブページ内の前記1つまたは複数の文字列をハイライトすること
を含む、請求項6に記載の方法。
【請求項８】
前記少なくとも1つのオプションまたはアクションが、コンテキスト属性を前記特定の要素に関連付けることを含み、前記方法が、
前記特定の要素に割り当てられた前記タグを支持してまたはそれに反対して、前記強化型ブラウザ環境を介して前記ウェブページ内の1つまたは複数の画像の選択を受信するステップ
をさらに含む、請求項4に記載の方法。
【請求項９】
前記少なくとも1つのオプションまたはアクションが、コンテキスト属性を前記特定の要素に関連付けることを含み、前記方法が、
前記特定の要素に割り当てられた前記タグを支持してまたはそれに反対して、前記強化型ブラウザ環境を介して前記ウェブページ内の1つまたは複数のリンクの選択を受信するステップ
をさらに含む、請求項4に記載の方法。
【請求項１０】
前記強化型ブラウザ環境を介した前記ウェブページ内の1つまたは複数のリンクの選択が、前記リンクの宛先を前記コンテキスト属性に追加する、請求項9に記載の方法。
【請求項１１】
前記1つまたは複数のリンクの選択が、前記強化型ブラウザ環境が前記1つまたは複数のリンクによって参照されるウェブページにナビゲートすることをもたらさない、請求項10に記載の方法。
【請求項１２】
前記要素の選択に応答して、前記ウェブページのソースコードのセグメントを抽出するステップと、
前記ソースコードの前記抽出されたセグメントを前記強化型ブラウザ環境から前記ポータルに送信するステップと
をさらに含む、請求項1に記載の方法。
【請求項１３】
前記URLが、前記ポータルによって維持されるデータベース内に対応するレコードを有さず、前記方法が、
前記強化型ブラウザ環境から前記タグを受信したことに応答して、前記URLについてのレコードを作成するステップと、
前記タグを前記レコードに追加するステップと
をさらに含む、請求項1に記載の方法。
【請求項１４】
前記URLが、データベース内に対応するレコードを有し、前記方法が、
前記強化型ブラウザ環境のグラフィカルユーザインターフェースに前記レコードから取り出されたデータを投入するステップ
をさらに含む、請求項1に記載の方法。
【請求項１５】
前記新しいポリシーによって精緻化された前記ハーベスティングアルゴリズムを使用して、ハーベストするためにデジタルコンテンツを検索するためのクエリを生成するステップ
をさらに含む、請求項1に記載の方法。
【請求項１６】
前記クエリを生成するステップが、
前記ハーベスティングアルゴリズムを使用して、用語の単一のセットから前記クエリを生成するステップであって、各クエリが、検索エンジンまたはアプリケーションプログラムインターフェース（API）の少なくとも1つに固有のものである、ステップ
を含む、請求項15に記載の方法。
【請求項１７】
前記クエリの実行が、見直されるべき追加のウェブページに関連付けられたユニバーサルリソースロケータ(URL)のリストを返す、請求項15に記載の方法。
【請求項１８】
ネットワーク化された環境内のデジタルコンテンツの同時のブラウザ内のタグ付けおよびハーベスティングのためのシステムであって、
ネットワークを介してアクセス可能なポータルを実行するようにプログラムされた1つまたは複数のサーバを含むリモートコンピューティングシステムと、
ウェブブラウザおよびブラウザ拡張部がインストールされた少なくとも1つのコンピューティングデバイスであって、前記ブラウザ拡張部が、前記ウェブブラウザの機能を拡張し、前記ウェブブラウザのブラウザウィンドウにおいてレンダリングされるウェブページ内の要素の独立した別個の選択およびタグ付けを容易にするようにプログラムされ、前記ブラウザ拡張部が、前記ネットワークを介して前記ポータルと通信している、少なくとも1つのコンピューティングデバイスと
を備え、
前記少なくとも1つのコンピューティングデバイスが、
前記ウェブページ内の予想される要素に関するポリシーを識別することと、
前記ブラウザ拡張部を介して前記ウェブページ内の特定の要素の選択を受信することと、
前記ポリシーに基づいて、タグを前記特定の要素に割り当てることと、
前記タグを前記ブラウザ拡張部から前記ポータルに送って前記タグを前記要素および前記ウェブページのユニバーサルリソースロケータ(URL)に関連付けることと、
前記関連付けに応答して、前記ウェブページ内の前記タグ付けされた要素のブラウザ内のハーベスティングを実施することと、
前記特定の要素に割り当てられた前記タグに基づいて、新しいポリシーを定義することであって、前記ポータルが前記新しいポリシーを含むようにハーベスティングエンジンのハーベスティングアルゴリズムを精緻化し、前記ハーベスティングエンジンが、前記新しいポリシーによって精緻化された前記ハーベスティングアルゴリズムを使用して、ハーベスティングのためにネットワーク化された環境内のコンテンツを発見する、ことと
を行うために、前記ブラウザ拡張部を実行するようにプログラムされる、システム。
【請求項１９】
前記少なくとも1つのコンピューティングデバイスが、
前記ブラウザ拡張部を介してグラフィカルユーザインターフェースを生成することと、
前記ポータルからウェブページのリストを受信することと、
前記グラフィカルユーザインターフェースを介して前記リスト内の前記URLの選択を受信することと、
前記リストからの前記URLの選択に応答して、前記URLをホストするデータソースから前記URLに関連付けられた前記ウェブページを取り出すように前記ウェブブラウザに命令することと
を行うために、前記ブラウザ拡張部を実行するようにプログラムされる、請求項18に記載のシステム。
【請求項２０】
前記少なくとも1つのコンピューティングデバイスが、
前記特定の要素の選択に応答して、前記ブラウザ拡張部によってメニューを生成することであって、前記メニューが、前記特定の要素の選択に基づいて前記ブラウザ拡張部によって実施されることが可能な少なくとも1つのオプションまたはアクションを含む、生成すること
を行うために、前記ブラウザ拡張部を実行するようにプログラムされ、
前記ブラウザ拡張部が、前記少なくとも1つのオプションまたはアクションの選択に応答して、前記タグを前記特定の要素に割り当てるか、または少なくとも1つのコンテキスト属性を前記特定の要素に関連付ける、請求項18に記載のシステム。
【請求項２１】
前記少なくとも1つのコンピューティングデバイスが、
前記特定の要素に割り当てられた前記タグを支持してまたはそれに反対して、前記ブラウザ拡張部を介して前記ウェブページ内の1つまたは複数の文字列、画像またはリンクの選択を受信する
ために、前記ブラウザ拡張部を実行するようにプログラムされる、請求項20に記載のシステム。
【請求項２２】
前記ブラウザ拡張部が、前記ブラウザ拡張部を介した前記1つまたは複数の文字列、画像またはリンクの選択に応答して、前記1つまたは複数の文字列をコンテキスト属性として追加する、請求項21に記載のシステム。
【請求項２３】
前記少なくとも1つのコンピューティングデバイスが、
前記要素の選択に応答して、前記ウェブページのソースコードのセグメントを抽出することと、
前記ソースコードの前記抽出されたセグメントを前記ブラウザ拡張部から前記ポータルに送信することと
を行うために、前記ブラウザ拡張部を実行するようにプログラムされる、請求項18に記載のシステム。
【請求項２４】
前記タグが、前記ウェブページ内の前記特定の要素が良性であるか悪性であるかを示す、請求項18に記載のシステム。